(57)【要約】【課題】入力されたメール録画予約設定情報の何れに誤りがあるかを検出すること。【解決手段】入力に応じて、第１メールアドレス、第１メールアドレス宛のメールを受信するメール受信設定情報、第１メールアドレスからメールを送信するメール送信設定情報、第２メールアドレスを含むメール録画予約設定情報を設定する設定手段と、第１メールアドレス宛に第１メールを送信する第１メール送信手段と、メール受信設定情報に基づいて第１メールアドレス宛のメールを受信する第１メール受信手段と、第１メール受信手段が第１メールを受信したかを判定する第１判定手段と、メール送信設定情報に基づいて第１メールアドレスから第２メールアドレス宛に第２メールを送信する第２メール送信手段と、第２メール宛のメールを受信する第２メール受信手段と、第２メール受信手段が第２メールを受信したかを判定する第２判定手段とを具備する。【選択図】    図２
2012120122.tif 000002
【特許請求の範囲】
【請求項１】
入力操作に応じて、第１のメールアドレスと、前記第１のメールアドレス宛のメールの受信に関するメール受信設定情報と、前記第１のメールアドレスのメールの送信に関するメール送信設定情報と、第２のメールアドレスとを含むメール録画予約設定情報を設定する設定手段と、
前記第１のメールアドレス宛に第１メールを送信する第１メール送信手段と、
前記メール受信設定情報に基づいて前記第１のメールアドレス宛のメールを受信する第１メール受信手段と、
前記第１メール受信手段が前記第１メールを受信したかを判定する第１判定手段と、
前記メール送信設定情報に基づいて前記第１のメールアドレスから前記第２のメールアドレス宛に第２メールを送信する第２メール送信手段と、
前記第２のメールアドレス宛のメールを受信する第２メール受信手段と、
前記第２メール受信手段が前記第２メールを受信したかを判定する第２判定手段と、
を具備する設定情報検証装置。
【請求項２】
前記第１メール受信手段が前記第１テストメールを受信したと判定され、前記第２メール受信手段が前記第２メールを受信したと判定された場合に、前記メール録画予約設定情報を番組録画装置に送信する設定情報送信手段を更に具備する請求項１に記載の設定情報検証装置。
【請求項３】
前記番組録画装置に第１の番組の録画と当該録画の終了時間とを指示する番組録画予約メールを、前記第１のメールアドレス宛に送信する第３メール送信手段と、
を更に具備する請求項１に記載の設定情報検証装置。
【請求項４】
前記終了時間の後に、前記番組録画装置から録画番組情報を取得する録画番組情報取得手段と、
前記録画番組情報に前記第１の番組のタイトルが含まれているかを判定する第３判定手段とを更に具備する請求項３に記載の設定情報検証装置。
【請求項５】
前記第３メール送信手段は、前記設定情報送信手段が前記メール録画予約設定情報を前記番組録画装置に送信する前に前記番組録画予約メールを送信する、
請求項３に記載の設定情報検証装置。
【請求項６】
移動体通信を行う移動体通信モジュールを更に具備し、
前記第２メール送信手段は、前記移動体通信モジュールを用いて前記第２メールを送信し、
前記第２メール受信手段は、前記移動体通信モジュールを用いて前記第２メール宛のメールを受信する、
請求項１に記載の設定情報検証装置。
【請求項７】
無線ＬＡＮ通信を行う無線ＬＡＮ通信モジュールを更に具備し、
前記メール録画予約設定情報送信手段は、前記無線ＬＡＮ通信モジュールを用いて前記メール録画予約設定情報を送信する、
請求項１に記載の設定情報検証装置。
【請求項８】
入力操作に応じて入力される、番組録画装置に登録された第１のメールアドレスと、前記第１のメールアドレス宛のメールの受信に関するメール受信設定情報と、前記第１のメールアドレスからのメールの送信に関するメール送信設定情報と、第２のメールアドレスとを含むメール録画予約設定情報を検証する設定情報検証方法であって、
前記第１のメールアドレス宛に第１メールを送信することと、
前記第１メールの送信後に前記メール受信設定情報に基づいて前記第１のメールアドレス宛のメールを受信することと、
前記第１のメールアドレス宛のメールの受信によって前記第１メールを受信したかを判定することと、
前記メール送信設定情報に基づいて前記第１のメールアドレスから前記第２のメールアドレス宛に第２メールを送信することと、
前記第２メールの送信後に前記第２メール宛のメールを受信することと、
前記第２メール宛のメールの受信によって前記第２メールを受信したかを判定することと
を備える設定情報検証方法。
【請求項９】
前記第１のメールアドレス宛のメールの受信によって前記第１メールを受信したと判定し、且つ前記第２メール宛のメールの受信によって前記第２メールを受信したと判定した場合に、前記メール録画予約設定情報を前記番組録画装置に送信すること
を更に備える設定情報検証方法。
【請求項１０】
コンピュータに、ユーザの入力操作に応じて入力される、番組録画装置に登録される第１のメールアドレスと、前記第１のメールアドレス宛のメールの受信に関するメール受信設定情報と、前記第１のメールアドレスからのメールの送信に関するメール送信設定情報と、第２のメールアドレスとを含むメール録画予約設定情報を検証する処理を実行させるプログラムであって、
前記第１のメールアドレス宛に第１メールを送信する手順と、
前記第１メールの送信後に前記メール受信設定情報に基づいて前記第１のメールアドレス宛のメールを受信する手順と、
前記第１のメールアドレス宛のメールの受信によって前記第１メールを受信したかを判定する手順と、
前記メール送信設定情報に基づいて前記第１のメールアドレスから前記第２のメールアドレス宛に第２メールを送信する手順と、
前記第２メールの送信後に前記第２メール宛のメールを受信する手順と、
前記第２メール宛のメールの受信によって前記第２メールを受信したかを判定する手順と
を前記コンピュータに実行させるプログラム。
【請求項１１】
前記第１のメールアドレス宛のメールの受信によって前記第１メールを受信したと判定し、且つ前記第２メール宛のメールの受信によって前記第２メールを受信したと判定した場合に、前記メール録画予約設定情報を前記番組録画装置に送信する手順を前記コンピュータに実行させる、請求項１０に記載のプログラム。
【発明の詳細な説明】
【技術分野】
【０００１】
本発明の実施形態は、メール録画予約設定情報を番組録画装置に送信する設定情報検証装置および設定情報検証方法に関する。
【背景技術】
【０００２】
近年の番組録画装置には、チャンネルおよび時間が記載されたメールを受信し、記載されているチャンネルおよび時間に基づいて録画予約を行う機能がある。
【０００３】
番組録画装置がメールを受信する場合、ユーザは、ＰＯＰ３アドレス、ＰＯＰ３ユーザ名、およびＰＯＰ３パスワード等のメール録画予約設定情報をユーザが入力し、メール録画予約設定情報を番組録画装置に登録する。
【先行技術文献】
【特許文献】
【０００４】
【特許文献１】特開２００８−１６７１１７号公報
【発明の概要】
【発明が解決しようとする課題】
【０００５】
メール録画予約設定情報に誤りがあった場合に、メール録画予約設定情報内の情報の何れに誤りがあるのかを検出できることが好ましい。
【０００６】
本発明の目的は、ユーザによって入力されたメール録画予約設定情報の何れに誤りがあるかを検出することが可能な設定情報検証装置、設定情報検証方法及びプログラムを提供することにある。
【課題を解決するための手段】
【０００７】
実施形態によれば、設定情報検証装置は、設定手段と、第１メール送信手段と、第１メール受信手段と、第１判定手段と、第２メール送信手段と、第２メール受信手段と、第２判定手段とを具備する。前記設定手段は、入力操作に応じて、第１のメールアドレスと、前記第１のメールアドレス宛のメールの受信に関するメール受信設定情報と、前記第１のメールアドレスからメールの送信に関するメール送信設定情報と、第２のメールアドレスとを含むメール録画予約設定情報を設定する。前記第１メール送信手段は、前記第１のメールアドレス宛に第１メールを送信する。前記第１メール受信手段は、前記メール受信設定情報に基づいて前記第１のメールアドレス宛のメールを受信する。前記第１判定手段は、前記第１メール受信手段が前記第１メールを受信したかを判定する。前記前記第２メール送信手段は、前記メール送信設定情報に基づいて前記第１のメールアドレスから前記第２のメールアドレス宛に第２メールを送信する。前記第２メール受信手段は、前記第２メールアドレス宛のメールを受信する。前記第２判定手段は、前記第２メール受信手段が前記第２メールを受信したかを判定する。
【図面の簡単な説明】
【０００８】
【図１】第１の実施形態の設定情報検証装置に入力されたメール録画予約設定情報を用いて番組録画装置にメール録画予約設定情報を登録するためのシステムを示す図。
【図２】第１の実施形態のスマートフォンの構成を示すブロック図。
【図３】第１の実施形態の番組録画装置のリストがタッチパネルに表示された表示画面の例を示す図。
【図４】第１の実施形態のタッチパネルに表示されるメール録画予約設定情報入力画面の例を示す図。
【図５】第１の実施形態のタッチパネルに表示される表示画面の例を示す図。
【図６】第１の実施形態のタッチパネルに表示される表示画面の例を示す図。
【図７】第１の実施形態のメール録画予約設定情報送信モジュールからテレビ受像器に送信するメール録画予約設定情報の例を示す図。
【図８】第１の実施形態のテレビ受像器の構成を示すブロック図。
【図９】第１の実施形態の設定情報検証装置に入力されたメール録画予約設定情報を用いて番組録画装置にメール録画予約設定情報を登録するための手順を示すフローチャート。
【図１０】第２の実施形態の設定情報検証装置に入力されたメール録画予約設定情報を用いて番組録画装置にメール録画予約設定情報を登録するためのシステムを示す図。
【図１１】第２の実施形態のスマートフォンの構成を示すブロック図。
【図１２】第２の実施形態のテレビ受像器の構成を示すブロック図。
【図１３】第２の実施形態の設定情報検証装置に入力されたメール録画予約設定情報を用いて番組録画装置にメール録画予約設定情報を登録するための手順を示すフローチャート。
【図１４】第２の実施形態の録画リスト情報取得リクエストおよび録画リスト情報の例を示す図。
【図１５】第３の実施形態の設定情報検証装置に入力されたメール録画予約設定情報を用いて番組録画装置にメール録画予約設定情報を登録するためのシステムを示す図。
【図１６】第３の実施形態のスマートフォンの構成を示すブロック図。
【図１７】第３の実施形態のテレビ受像器の構成を示すブロック図。
【図１８】第３の実施形態の録画リスト情報取得リクエストおよび録画リスト情報の例を示す図。
【発明を実施するための形態】
【０００９】
以下、実施の形態について図面を参照して説明する。
【００１０】
（第１の実施形態）
図１は、第１の実施形態に係わるシステムを示す図である。なお本実施形態に係る設定情報検証装置は、例えばスマートフォンによって実現される。スマートフォンは、携帯電話と携帯情報端末とを融合した端末であり、一種のコンピュータである。番組録画装置は、例えばテレビとして実現される。
【００１１】
図１に示すように、システムは、スマートフォン１０、テレビ受像器２０、無線ＬＡＮ親機３０、ブロードバンドルータ４０、移動体通信基地局５０、メールサーバ６０、メールサーバ７０等によって構成されている。
【００１２】
スマートフォン１０は、無線ＬＡＮ親機３０と無線ＬＡＮ通信を行う。スマートフォン１０は、無線ＬＡＮ親機３０を介してホームネットワーク８０に接続されている。テレビ受像器２０は、ホームネットワーク８０に接続されている。ホームネットワーク８０は、ブロードバンドルータ４０を介してインターネット９０に接続されている。スマートフォン１０は、移動体通信基地局５０と移動体通信を行う。
【００１３】
インターネット９０には、メールサーバ６０，７０が接続されている。メールサーバ６０は、ＰＯＰ３(POP Version 3)に従ってメールクライアントにメールを配信し、ＳＭＴＰ（Simple Mail Transfer Protocol）に従ってメールクライアントからのメールを受信する。メールサーバ７０は、例えば移動体通信サービスを提供する事業者が用意したサーバである。メールサーバ７０は、スマートフォン宛のメールを受信したら、即時にスマートフォンにメールを転送する。
【００１４】
テレビ受像器２０は、スマートフォン１０からテレビ受像器２０に用意されたメールアドレス（以下、録画メール予約アドレス）に送信されたメールの本文に記載された情報に基づいて、録画予約を行うことが可能である。但し、テレビ受像器２０は、録画予約が行われるためには、録画予約メールアドレス宛のメールの受信等を行うためのメール録画予約設定情報が正確にテレビ受像器２０に登録されていなければならない。
【００１５】
スマートフォン１０は、ユーザの入力操作に応じてメール録画予約設定情報を取得し、取得したメール録画予約設定情報が正しいかを検証する。そして、正しいと判断された場合に、メール録画予約設定情報をテレビ受像器２０に送信する。
【００１６】
次に、図２を参照してスマートフォン１０の構成を説明する。  
スマートフォン１０は、メール録画予約設定情報検証モジュール１００、モバイルメールクライアント１１０、無線ＬＡＮ通信モジュール１２０、移動体通信モジュール１３０、タッチパネル１４０、表示画面制御モジュール１５０、および入力モジュール１６０等を有する。
【００１７】
モバイルメールクライアント１１０は、メールサーバ７０と通信を行って、メールサーバ７０との間でメールの送受信を行う電子メールクライアントである。無線ＬＡＮ通信モジュール１２０は、無線ＬＡＮ親機３０と通信を行うことによって、ホームネットワーク８０内の機器およびインターネットに接続されているサーバと通信を行う。移動体通信モジュール１３０は、移動体通信基地局５０と通信を行う。
【００１８】
タッチパネル１４０は、液晶ディスプレイ等の表示画面と、表示画面上の操作位置を検出するセンサとを有する。表示画面制御モジュール１５０は、表示画面に画像を表示するための画像データを生成する。センサの出力結果は、表示画面に表示されているアプリケーションプログラムに渡される。
【００１９】
入力モジュール１６０は、表示画面上にユーザがテキスト等を入力するための仮想的な複数のキーを有するキーボードを表示するように表示画面制御モジュール１５０に指示する。また、仮想的なキーボードの表示時に、タッチパネル１４０から出力された検出信号に応じてキーボード内の操作されたキーに応じたキー信号を出力する。
【００２０】
メール録画予約設定情報検証モジュール１００は、スマートフォン１０内のプロセッサによって実行されるアプリケーションプログラムである。メール録画予約設定情報検証モジュール１００は、番組録画装置探索モジュール１０１、メール録画予約設定情報取得モジュール１０２、メールクライアント１０３、第１テストメール送信モジュール１０４、第１テストメール受信判定モジュール１０５、第２テストメール送信モジュール１０６、第２テストメール受信判定モジュール１０７、およびメール録画予約設定情報送信モジュール１０８等を備えている。
【００２１】
番組録画装置探索モジュール１０１は、ホームネットワーク８０内に接続されている番組録画装置を探索する。番組録画装置探索モジュール１０１は、探索された番組録画装置のリストをタッチパネル１４０に表示するように表示画面制御モジュール１５０に指示する。図３に示す例では、３台の番組録画装置が検出され、検出された番組録画装置にそれぞれ対応するボタン２０１〜２０３が表示されている。ボタン２０１〜２０３上には、番組録画装置の名前が表示されている。
【００２２】
ユーザがボタン２０１〜２０３の何れかを操作した場合、メール録画予約設定情報取得モジュール１０２は、図４に示すメール録画予約設定情報入力画面を表示するように表示画面制御モジュール１５０に指示する。
【００２３】
メール録画予約設定情報入力画面には、ＰＯＰ３アドレス入力欄３０１、ユーザ名入力欄３０２、ＰＯＰ３パスワード入力欄３０３、ＳＭＴＰアドレス入力欄３０４、録画予約メールアドレス入力欄３０５、ＰＯＰ３アクセス間隔入力欄３０６、メール予約パスワード入力欄３０７、および予約メールアドレス入力欄３０８、および設定完了ボタン３０９が表示されている。
【００２４】
ＰＯＰ３アドレス入力欄３０１には、ＰＯＰ３サーバ（メールサーバ７０）のアドレスが入力される。ユーザ名入力欄には、ユーザ名が入力される。ＰＯＰ３パスワード入力欄３０３には、ＰＯＰ３サーバとの間の認証に必要なパスワードが入力される。ＳＭＴＰアドレス入力欄３０４には、ＳＭＴＰサーバ（メールサーバ７０）のアドレスが入力される。メールアドレス入力欄３０５には、メール送信時に利用される録画予約メールアドレスが入力される。テレビ受像器２０が利用するメールアドレスである。
【００２５】
ＰＯＰ３アクセス間隔入力欄３０６にはＰＯＰ３サーバにアクセスする間隔が入力される。メール予約パスワード入力欄３０７には、メールで録画を予約する場合に使用するパスワードが入力される。予約メールアドレス入力欄３０８には、テレビ受像器２０が録画予約メールを受け付けるメールアドレスが入力される。予約メールアドレス入力欄３０８に入力されるアドレスは、スマートフォンに設定されている携帯メールアドレスである。
【００２６】
入力欄３０１〜３０８に設定が入力された後に、ユーザが設定完了ボタン３０９を操作すると、メール録画予約設定情報取得モジュール１０２は、ＰＯＰ３アドレス入力欄３０１に入力されたＰＯＰ３サーバアドレス、ユーザ名入力欄３０２に入力されたユーザ名、ＰＯＰ３パスワード入力欄３０３に入力されたＰＯＰ３パスワード、ＳＭＴＰアドレス入力欄３０４に入力されたＳＭＴＰサーバアドレス、およびメールアドレス入力欄３０５に入力された録画予約メールアドレスをメールクライアント１０３に設定する。
【００２７】
メール録画予約設定情報取得モジュール１０２は、メール録画予約設定情報入力画面の各欄に入力された情報に誤りが検出された場合に、メール録画予約設定情報入力画面を再度表示する。
【００２８】
設定後、メール録画予約設定情報取得モジュール１０２は、第１テストメール送信モジュール１０４にメールアドレス入力欄３０５に入力された録画予約メールアドレスを通知する。第１テストメール送信モジュール１０４は、モバイルメールクライアント１１０にメールアドレス入力欄３０５に入力された録画予約メールアドレス宛に第１テストメールを送信するように指示する。第１テストメールの件名は例えばＴｅｓｔ１であり、第１テストメールの本文は空白である。
【００２９】
第１テストメールの送信後、メールクライアント１０３は、設定されたＰＯＰ３サーバアドレス、ユーザ名、およびＰＯＰ３パスワードに基づいてメールサーバ７０からメールの受信を試みる。メールクライアント１０３はメールサーバ７０からメールを受信することができた場合、メールの件名を第１テストメール受信判定モジュール１０５に通知する。
【００３０】
また、第１テストメール受信判定モジュール１０５は、メールクライアント１０３が第１テストメールを受信することができたかを判定する。第１テストメール受信判定モジュール１０５は、第１テストメールを受信することができたかを判定するために、メールクライアント１０３から渡されたメールの件名が“Ｔｅｓｔ１”に一致するかを判定する。また、第１テストメールを送信してから行って時間のメールクライアント１０３からメールの件名を受け取ることができ無かった場合に、第１テストメールを受信することができなかったと判定する。第１テストメールを受信することができなかったと判定された場合、ＰＯＰ３サーバアドレス、ユーザ名、およびＰＯＰ３の何れかに一つ以上に誤りがあったことが分かる。
【００３１】
第１テストメール受信判定モジュール１０５が第１テストメールを受信することがでたと判定した場合、第２テストメール送信モジュール１０６は、メールクライアント１０３に予約メールアドレス入力欄３０８宛に入力されたメールアドレス宛に第２テストメールを送信するように指示する。第２テストメールの件名は例えばＴｅｓｔ２であり、第２テストメールの本文は空白である。
【００３２】
また、第２テストメール受信判定モジュール１０７は、モバイルメールクライアント１１０が第２テストメールを受信することができたかを判定する。第２テストメール受信判定モジュール１０７は、図５に示す画面をタッチパネル１４０に表示するように表示画面制御モジュール１５０に指示する。
【００３３】
図５に示すように、“携帯メールで件名が“Test2”のテストメールを受信しているかを確認して下さい。”および“携帯メールを確認しましたか？”というメッセージとＯＫボタン４０１とが表示されている。ユーザがＯＫボタン４０１を操作すると、第２テストメール受信判定モジュール１０７は、図６に示す画面をタッチパネル１４０に表示するように表示画面制御モジュール１５０に指示する。図６に示すように、“携帯メールで件名が“Test2”のテストメールを受信していますか?”というメッセージと、はいボタン５０１、いいえボタン５０２が表示される。
【００３４】
ユーザがはいボタン５０１を操作した場合に、第２テストメール受信判定モジュール１０７は、モバイルメールクライアント１１０が第２テストメールを受信することができたと判定する。ユーザがいいえボタン５０２を操作した場合に、第２テストメール受信判定モジュール１０７は、モバイルメールクライアント１１０が第２テストメールを受信することができなかったと判定する。第２テストメールを受信することができなかったと判定された場合、ＳＭＴＰアドレス、録画予約メールアドレス、および予約メールアドレス（携帯メールアドレス）の何れか一つ以上に誤りがあったことが分かる。
【００３５】
モバイルメールクライアント１１０が第２テストメールを受信することができたと判定した場合、メール録画予約設定情報送信モジュール１０８は、無線ＬＡＮ通信モジュール１２０を用いて、入力欄３０１〜３０８に入力されたメール録画予約設定情報をテレビ受像器２０に送信する。
【００３６】
メール録画予約設定情報送信モジュール１０８は、例えば図７に示すようにメッセージによってメール録画予約設定情報をテレビ受像器２０に送信する。テレビ受像器２０はメール録画予約設定情報に基づいて設定を行うと設定完了通知を示す “２００ＯＫ”というメッセージをスマートフォンに返す。
【００３７】
次に、図８を参照してテレビ受像器２０の構成を説明する。テレビ受像器２０は、ＬＡＮ通信モジュール６０１、メール録画予約設定情報登録モジュール６０２、テレビメールクライアント６０３、メール解析モジュール６０４、番組録画モジュール６０５、チューナ６０６、ＨＤＤ６０７、およびディスプレイ６０８等を有する。
【００３８】
ＬＡＮ通信モジュール６０１は、ホームネットワーク８０内の機器およびインターネットに接続されているサーバと通信を行う。
【００３９】
メール録画予約設定情報登録モジュール６０２は、スマートフォンから送信されたメール録画予約設定情報に基づいて、テレビメールクライアント６０３にＰＯＰ３サーバアドレス、ユーザ名、ＰＯＰ３パスワード、ＳＭＴＰアドレス、録画予約メールアドレス、アクセス間隔を登録する。また、メール録画予約設定情報登録モジュール６０２は、スマートフォンから送信されたメール録画予約設定情報に基づいて、メール解析モジュール６０４にメール予約パスワードおよび予約メールアドレスを登録する。登録後に、メール録画予約設定情報登録モジュール６０２は、スマートフォンに登録完了通知を送信する。
【００４０】
テレビメールクライアント６０３は、アクセス間隔毎に、設定されたＰＯＰ３サーバアドレス、ユーザ名、ＰＯＰ３パスワードに基づいてメールサーバ６０からメールを受信する。テレビメールクライアント６０３は、メールを受信した場合に、受信したメールをメール解析モジュール６０４に渡す。また、テレビメールクライアント６０３は、ＳＭＴＰアドレスおよび録画予約メールアドレスに基づいてメールを送信する。
【００４１】
メール解析モジュール６０４は、渡されたメールの送信者が設定された予約メールアドレス（携帯メールアドレス）に一致するかを判断する。予約メールアドレスに一致すると判断した場合、メール解析モジュール６０４は、メールの本文内に書かれているパスワードが設定されたパスワードに一致するかを判断する。そして、パスワードが一致した場合、メール解析モジュール６０４は、本文内に書かれている、録画日、録画開始時間、録画終了時間、および録画チャンネルをそれぞれ検出する。メール解析モジュール６０４は、検出された録画日、録画開始時間、録画終了時間、および録画チャンネルに基づいて番組録画モジュール６０５に録画予約の設定を行う。
【００４２】
番組録画モジュール６０５は、設定された録画予約に基づいてチューナ６０６から番組データを取得し、取得した番組データをＨＤＤ６０７に記録する。また、ディスプレイ６０８は、チューナ６０６によって受信した番組またはＨＤＤに記録された番組データを表示する。
【００４３】
次に、メール録画予約設定情報の登録をスマートフォン１０を用いて行う手順を図９のフローチャートを参照して説明する。
【００４４】
メール録画予約設定情報取得モジュール１０２は、メール録画予約設定情報入力画面を表示する（ステップ７０１）。ユーザによるメール録画予約設定情報の入力が終了すると、第１テストメール送信モジュール１０４が、モバイルメールクライアント１１０を用いて、携帯メールアドレスから録画予約メールアドレスに対してテストメール１を送信する（ステップ７０２）。第１テストメール受信判定モジュールが、メールクライアント１０３を用いて、録画予約メールアドレス宛のメールを受信した後、テストメール１が受信できたかを判定する（ステップ７０３）。
【００４５】
テストメール１を受信することができなかったと判定した場合（ステップ７０３のＮｏ）、メール録画予約設定情報取得モジュール１０２は、メール録画予約設定情報入力画面を再度表示する（ステップ７０１）。なお、メール録画予約設定情報入力画面を再度表示する場合、ＰＯＰ３サーバアドレス、ユーザ名、またはＰＯＰ３パスワードに誤りがあることを表示するようにしても良い。
【００４６】
テストメール１を受信することができたと判定した場合（ステップ７０３のＹｅｓ）、第２テストメール送信モジュール１０６がメールクライアント１０３を用いて、録画予約メールアドレスから予約メールアドレスにテストメール２を送信する（ステップ７０４）。第２テストメール判定モジュールは、モバイルメールクライアント１１０がテストメール２を受信することができたかを判定する（ステップ７０５）。
【００４７】
テストメール２を受信することができなかったと判定した場合（ステップ７０５のＮｏ）、メール録画予約設定情報取得モジュール１０２は、メール録画予約設定情報入力画面を再度表示する（ステップ７０１）。なお、メール録画予約設定情報入力画面を再度表示する場合、ＳＭＴＰアドレス、録画予約メールアドレス、または予約メールアドレスに誤りがあることを表示するようにしても良い。
【００４８】
第２テストメールを受信することができたと判定した場合（ステップ７０５のＹｅｓ）、メール録画予約設定情報送信モジュール１０８が、メール録画予約設定情報をテレビ受像器２０に送信する（ステップ７０６）。
【００４９】
メール録画予約設定情報登録モジュール６０２は、スマートフォン１０から送信されたメール録画予約設定情報を受信する（ステップ７１１）。メール録画予約設定情報登録モジュール６０２は、メール録画予約設定情報に基づいて、テレビメールクライアント６０３にＰＯＰ３サーバアドレス、ユーザ名、ＰＯＰ３パスワード、ＳＭＴＰアドレス、録画予約メールアドレス、アクセス間隔を登録し、メール解析モジュール６０４にメール予約パスワードおよび予約メールアドレスを登録する（ステップ７１２）。メール録画予約設定情報登録モジュール６０２は、メール録画予約設定情報の登録完了通知をスマートフォン１０に送信する（ステップ７１３）。  
メール録画予約設定情報登録モジュールは、登録完了通知を受信すると処理を終了する（ステップ７０７）。
【００５０】
以上の処理で、ユーザが入力したメール録画予約設定情報に誤りがあった場合に、入力された情報の何れかに誤りがあることが分かる。また、正しく設定できたことをスマートフォン１０によって確認してからテレビ受像器２０に転送するので、誤ったメール録画予約設定情報がテレビ受像器２０に登録されることがない。
【００５１】
（第２の実施形態）
図１０は、第２の実施形態に係わる、設定情報検証装置に入力されたメール録画予約設定情報を用いて番組録画装置にメール録画予約設定情報を登録するためのシステムを示す図である。なお、設定情報検証装置は、スマートフォンによって実現されている。スマートフォンは、携帯電話と形態情報端末とを融合した端末であり、一種のコンピュータである。番組録画装置は、テレビとして実現されている。
【００５２】
図１０に示すように、システムは、スマートフォン１０００、テレビ受像器１２００、無線ＬＡＮ親機３０、ブロードバンドルータ４０、移動体通信基地局５０、メールサーバ６０、メールサーバ７０、電子番組表情報配信サーバ８０１等によって構成されている。なお、図１と同一な部位には同一符号を付し、その説明を省略する。
【００５３】
電子番組表情報配信サーバ８０１は、電子番組表情報をインターネット９０を介して配信するサーバである。電子番組表情報に基づいて電子番組表を表示している端末から番組情報の送信の要求があると、電子番組表情報配信サーバ８０１は、要求があった番組の放送局名、放送開始日、放送開始時間、放送終了時間、および番組タイトルを含む番組情報を端末に送信する。
【００５４】
次に、スマートフォン１０００の構成を図１１を参照して説明する。
【００５５】
スマートフォン１０００は、メール録画予約設定情報登録モジュール１１００、モバイルメールクライアント１１０、無線ＬＡＮ通信モジュール１２０、移動体通信モジュール１３０、タッチパネル１４０、表示画面制御モジュール１５０、および入力モジュール１６０等を有する。図２と同一な部位には同一符号を付し、その説明を省略する。
【００５６】
メール録画予約設定情報登録モジュール１１００は、スマートフォン１０００内のプロセッサによって実行されるアプリケーションプログラムである。メール録画予約設定情報登録モジュール１１００は、番組録画装置探索モジュール１０１、メール録画予約設定情報取得モジュール１０２、メールクライアント１０３、第１テストメール送信モジュール１０４、第１テストメール受信判定モジュール１０５、第２テストメール送信モジュール１０６、第２テストメール受信判定モジュール１０７、電子番組表情報取得モジュール１１０１、テスト録画予約メール送信モジュール１１０２、メール録画予約設定情報送信モジュール１１０３、録画リスト情報取得モジュール１１０４、およびタイトル検出モジュール１１０５等を備えている。
【００５７】
電子番組表情報取得モジュール１１０１は、電子番組表情報配信サーバ８０１から電子番組表情報を取得する。テスト録画予約メール送信モジュール１１０２は、番組表情報内に含まれる番組を一つ選択し、選択された番組の番組情報を電子番組表情報配信サーバ８０１から取得する。テスト録画予約メール送信モジュール１１０２は、取得した番組情報に基づいて、パスワード、録画日、録画開始時間、録画終了時間、および録画チャンネルを含むテスト録画予約情報を作成する。テスト録画予約メール送信モジュール１１０２は、作成されたテスト録画予約情報を本文に含むテスト録画予約メールをモバイルメールクライアント１１０を用いて録画予約メールアドレス宛に送信する。また、テスト録画予約メール送信モジュール１１０２は、選択された番組のタイトルを取得した番組情報から検出し、検出された番組のタイトルをタイトル検出モジュール１１０５に送信する。
【００５８】
なお、テスト録画予約メール送信モジュール１１０２は、例えば現在時刻から５分後から６分後の間に放送されている番組を選択する。また、テスト録画予約メール送信モジュール１１０２は、テスト録画予約情報に含まれる録画開始時間を現在時刻から５分後にし、録画終了時間を現在時刻から６分後にする。
【００５９】
メール録画予約設定情報送信モジュール１１０３は、テスト録画予約情報が送信された後、メール録画予約設定情報をテレビ受像器２０に送信する。
【００６０】
録画リスト情報取得モジュール１１０４は、テスト録画予約情報に含まれる録画終了時間から例えば３分が経過した後に、テレビ受像器２０から録画リスト情報を取得する。録画リスト情報には、テレビ受像器２０が録画した番組のタイトル等が含まれる。
【００６１】
タイトル検出モジュール１１０５は、テスト録画予約メール送信モジュール１１０２によって選択された番組のタイトルが録画リスト情報内に存在するかを判定する。番組のタイトルが録画リスト情報内に存在しない場合、予約メールアドレス入力欄に入力された予約メールアドレス（携帯メールアドレス）に誤りがあることが分かる。
【００６２】
次に、図１２を参照してテレビ受像器１２００の構成を説明する。  
テレビ受像器１２００は、ＬＡＮ通信モジュール６０１、メール録画予約設定情報登録モジュール６０２、テレビメールクライアント６０３、メール解析モジュール６０４、番組録画モジュール６０５、チューナ６０６、ＨＤＤ６０７、ディスプレイ６０８、および録画リスト情報送信モジュール１２０１等を有する。なお、図８と同一な部位には同一符号を付し、その説明を省略する。
【００６３】
録画リスト情報送信モジュール１２０１は、スマートフォン１０００から録画リスト情報の送信要求があった場合に、ＨＤＤ６０７に記録されている番組の録画リスト情報をスマートフォン１０００に送信する。
【００６４】
次に、録画予約メールの設定をスマートフォン１０００を用いて行う手順を図１３のフローチャートを参照して説明する。  
メール録画予約設定情報取得モジュール１０２は、メール録画予約設定情報入力画面を表示する（ステップ１３０１）。ユーザによるメール録画予約設定情報の入力が終了すると、第１テストメール送信モジュール１０４が、モバイルメールクライアント１１０を用いて、携帯メールアドレスから録画予約メールアドレスに対してテストメール１を送信する（ステップ１３０２）。第１テストメール受信判定モジュールが、メールクライアント１０３を用いて、録画予約メールアドレス宛のメールを受信した後、テストメール１が受信できたかを判定する（ステップ１３０３）。
【００６５】
テストメール１を受信することができなかったと判定した場合（ステップ１３０３のＮｏ）、メール録画予約設定情報取得モジュール１０２は、メール録画予約設定情報入力画面を再度表示する（ステップ１３０１）。なお、メール録画予約設定情報入力画面を再度表示する場合、ＰＯＰ３サーバアドレス、ユーザ名、またはＰＯＰ３パスワードに誤りがあることを表示するようにしても良い。
【００６６】
テストメール１を受信することができたと判定した場合（ステップ１３０３のＹｅｓ）、第２テストメール送信モジュール１０６がメールクライアント１０３を用いて、録画予約メールアドレスから携帯メールアドレスにテストメール２を送信する（ステップ１３０４）。第２テストメール判定モジュールは、モバイルメールクライアント１１０がテストメール２を受信することができたかを判定する（ステップ１３０５）。
【００６７】
テストメール２を受信することができなかったと判定した場合（ステップ１３０５のＮｏ）、メール録画予約設定情報取得モジュール１０２は、メール録画予約設定情報入力画面を再度表示する（ステップ１３０１）。なお、メール録画予約設定情報入力画面を再度表示する場合、ＳＭＴＰアドレス、録画予約メールアドレス、または予約メールアドレス（携帯メールアドレス）に誤りがあることを表示するようにしても良い。
【００６８】
第２テストメールを受信することができたと判定した場合（ステップ１３０５のＹｅｓ）、テスト録画予約メール送信モジュール１１０２は、テスト録画予約情報を作成し、モバイルメールクライアント１１０を用いてテスト録画予約情報が本文に記載されたテスト録画予約メールを録画予約メールアドレス宛に送信する（ステップ１３０６）。
【００６９】
テスト録画予約メールの送信後、メール録画予約設定情報送信モジュール１１０３は、録画予約設定情報を録画予約メールアドレス宛に送信する（ステップ１３０７）。
【００７０】
メール録画予約設定情報登録モジュール６０２は、スマートフォン１０００から送信されたメール録画予約設定情報を受信する（ステップ１３２１）。メール録画予約設定情報登録モジュール６０２は、メール録画予約設定情報に基づいて、テレビメールクライアント６０３にＰＯＰ３サーバアドレス、ユーザ名、ＰＯＰ３パスワード、ＳＭＴＰアドレス、録画予約メールアドレス、アクセス間隔を登録し、メール解析モジュール６０４にメール予約パスワードおよび予約メールアドレスを登録する（ステップ１３２２）。メール録画予約設定情報登録モジュール６０２は、メール録画予約設定情報の登録完了通知をスマートフォン１０００に送信する（ステップ１３２３）。
【００７１】
テレビメールクライアント６０３は、登録された設定に基づいて、メールサーバ６０からテスト録画予約メールを受信する（ステップ１３２４）。続いて、テレビ受像器１２００は、受信したテスト録画予約メールの本文の内容に応じた処理を行う（ステップ１３２５）。メール解析モジュール６０４は、テスト録画予約メールの送信アドレスが、メール録画予約設定情報に応じて登録された予約メールアドレス（携帯メールアドレス）と一致しているかを判定する。一致していると判定された場合、メール解析モジュール６０４は、とば、本文に含まれる録画日、録画開始時間、録画終了時間、録画チャンネルに基づいて録画予約の設定を番組録画モジュール６０５に行う。一致しないと判定された場合、メール解析モジュール６０４は、録画予約の設定を行わない。
【００７２】
録画リスト情報取得モジュール１１０４は、録画リスト情報取得リクエストをテレビ受像器１２００に送信する（ステップ１３０８）。
【００７３】
録画リスト情報送信モジュール１２０１は、録画リスト情報取得リクエストを受信すると（ステップ１３２６）、録画リスト情報をスマートフォン１０００に送信する（ステップ１３２７）。録画リスト情報取得モジュール１１０４は、テレビ受像器１２００から送信された録画リスト情報を受信する（ステップ１３２０）。図１４に録画リスト情報取得リクエストおよび録画リスト情報の例を示す。録画リスト情報取得リクエストは“GET http://192.168.1.2/rec_list”である。なお、“192.168.1.2”はスマートフォン１０００のＩＰアドレスである。また、“<recnum>10</recnum>”以下が録画リスト情報である。
【００７４】
タイトル検出モジュール１１０５は、録画リスト情報内にテスト録画予約メールによって録画される番組のタイトルが存在するかを判定する（ステップ１３１１）。タイトルが存在すると判定された場合（ステップ１３１１のＹｅｓ）、スマートフォン１０００はメール録画予約設定情報の登録処理を終了する。タイトルが存在しないと判定された場合（ステップ１３１１のＮｏ）、メール録画予約設定情報取得モジュール１０２は、メール録画予約設定情報入力画面を再度表示する（ステップ１３０１）。なお、メール録画予約設定情報入力画面を再度表示する場合、予約メールアドレス入力欄３０８に入力された予約メールアドレスに誤りがあることを表示するようにしても良い。
【００７５】
以上の処理で、ユーザが入力した予約メールアドレスに誤りがあった場合に検出することができる。
【００７６】
なお、上記実施形態では、スマートフォン１０００で予約メールアドレスに誤りがあるかを判断するための処理を行ったが、次に実施形態ではこの処理をテレビ受像器側で行う例を説明する。
【００７７】
（第３の実施形態）
図１５は、第３の実施形態に係わる、設定情報検証装置に入力されたメール録画予約設定情報を用いて番組録画装置にメール録画予約設定情報を登録するためのシステムを示す図である。なお、設定情報検証装置は、スマートフォンによって実現されている。スマートフォンは、携帯電話と形態情報端末とを融合した端末であり、一種のコンピュータである。番組録画装置は、テレビとして実現されている。
【００７８】
図１５に示すように、システムは、スマートフォン１５１０、テレビ受像器１５２０、無線ＬＡＮ親機３０、ブロードバンドルータ４０、移動体通信基地局５０、メールサーバ６０、メールサーバ７０等によって構成されている。なお、図１と同一な部位には同一符号を付し、その説明を省略する。
【００７９】
次に、スマートフォン１５１０の構成を図１６を参照して説明する。
【００８０】
スマートフォン１５１０は、メール録画予約設定情報登録モジュール１６００、モバイルメールクライアント１１０、無線ＬＡＮ通信モジュール１２０、移動体通信モジュール１３０、タッチパネル１４０、表示画面制御モジュール１５０、および入力モジュール１６０等を有する。図１１と同一な部位には同一符号を付し、その説明を省略する。
【００８１】
メール録画予約設定情報登録モジュール１６００は、スマートフォン１５１０内のプロセッサによって実行されるアプリケーションプログラムである。メール録画予約設定情報登録モジュール１６００は、番組録画装置探索モジュール１０１、メール録画予約設定情報取得モジュール１６０２、メールクライアント１０３、第１テストメール送信モジュール１０４、第１テストメール受信判定モジュール１０５、第２テストメール送信モジュール１０６、第２テストメール受信判定モジュール１０７、電子番組表情報取得モジュール１１０１、テスト録画予約メール送信モジュール１１０２、およびメール録画予約設定情報送信モジュール１１０３等を備えている。
【００８２】
番組録画装置探索モジュール１６０１は、第１の実施形態で説明したメール録画予約設定情報取得モジュール１０２の機能に加え、メール録画予約設定情報送信モジュール１０８がメール録画予約設定情報を送信した後に、テレビ受像器１５２０から送信された登録非完了通知を受信した場合に、メール録画予約設定情報入力画面を表示する機能を有する。登録非完了通知を受信するのは、予約メールアドレス入力欄３０８に入力された予約メールアドレス（携帯メールアドレス）に誤りがあった場合である。従って、メール録画予約設定情報入力画面を再度表示する場合、予約メールアドレスに誤りがあることを表示するようにしても良い。
【００８３】
次に、図１７を参照してテレビ受像器１５２０の構成を説明する。テレビ受像器２０は、ＬＡＮ通信モジュール６０１、メール録画予約設定情報登録モジュール１７０２、テレビメールクライアント６０３、メール解析モジュール１６０４、番組録画モジュール６０５、チューナ６０６、ＨＤＤ６０７、およびディスプレイ６０８等を有する。なお、図８と同一な部位には同一符号を付し、その説明を省略する。
【００８４】
メール録画予約設定情報登録モジュール１７０２は、スマートフォンから送信されたメール録画予約設定情報に基づいて、テレビメールクライアント６０３にＰＯＰ３サーバアドレス、ユーザ名、ＰＯＰ３パスワード、ＳＭＴＰアドレス、録画予約メールアドレス、アクセス間隔を登録する。また、メール録画予約設定情報登録モジュール６０２は、スマートフォンから送信されたメール録画予約設定情報に基づいて、メール解析モジュール６０４にメール予約パスワードおよび予約メールアドレスを登録する。メール録画予約設定情報登録モジュール１７０２は、メール録画予約設定情報登録モジュール６０２と異なり、登録後に、メール録画予約設定情報登録モジュール６０２は、スマートフォン１５１０に登録完了通知を送信しない。
【００８５】
メール解析モジュール１７０４は、メール録画予約設定情報登録モジュール６０２がメール録画予約設定情報を登録した後に、テレビメールクライアント６０３が受信したテスト録画予約メールの送信アドレスと登録された予約メールアドレスとが一致するかを判定する。一致すると判定された場合、メール解析モジュール１７０４は、スマートフォン１５１０に登録完了通知を送信する。一致しないと判定された場合、メール解析モジュール１７０４は、スマートフォン１６２０に登録完了通知を送信する。
【００８６】
メール解析モジュール１７０４は、登録完了通知の送信後、テレビメールクライアント６０３が受信したメールの送信者が設定された予約メールアドレス（携帯メールアドレス）に一致するかを判断する。予約メールアドレスに一致すると判断した場合、メール解析モジュール６０４は、メールの本文内に書かれているパスワードが設定されたパスワードに一致するかを判断する。そして、パスワードが一致した場合、メール解析モジュール６０４は、本文内に書かれている、録画日、録画開始時間、録画終了時間、および録画チャンネルをそれぞれ検出する。メール解析モジュール６０４は、検出された録画日、録画開始時間、録画終了時間、および録画チャンネルに基づいて番組録画モジュール６０５に録画予約の設定を行う。
【００８７】
次に、録画予約メールの設定をスマートフォン１５１０を用いて行う手順を図１８のフローチャートを参照して説明する。  
メール録画予約設定情報取得モジュール１０２は、メール録画予約設定情報入力画面を表示する（ステップ１８０１）。ユーザによるメール録画予約設定情報の入力が終了すると、第１テストメール送信モジュール１０４が、モバイルメールクライアント１１０を用いて、携帯メールアドレスから録画予約メールアドレスに対してテストメール１を送信する（ステップ１８０２）。第１テストメール受信判定モジュールが、メールクライアント１０３を用いて、録画予約メールアドレス宛のメールを受信した後、テストメール１が受信できたかを判定する（ステップ１８０３）。
【００８８】
テストメール１を受信することができなかったと判定した場合（ステップ１８０３のＮｏ）、メール録画予約設定情報取得モジュール１０２は、メール録画予約設定情報入力画面を再度表示する（ステップ１８０１）。なお、メール録画予約設定情報入力画面を再度表示する場合、ＰＯＰ３サーバアドレス、ユーザ名、またはＰＯＰ３パスワードに誤りがあることを表示するようにしても良い。
【００８９】
テストメール１を受信することができたと判定した場合（ステップ１８０３のＹｅｓ）、第２テストメール送信モジュール１０６がメールクライアント１０３を用いて、録画予約メールアドレスから携帯メールアドレスにテストメール２を送信する（ステップ１８０４）。第２テストメール判定モジュールは、モバイルメールクライアント１１０がテストメール２を受信することができたかを判定する（ステップ１８０５）。
【００９０】
テストメール２を受信することができなかったと判定した場合（ステップ１８０５のＮｏ）、メール録画予約設定情報取得モジュール１０２は、メール録画予約設定情報入力画面を再度表示する（ステップ１８０１）。なお、メール録画予約設定情報入力画面を再度表示する場合、ＳＭＴＰアドレス、録画予約メールアドレス、または予約メールアドレス（携帯メールアドレス）に誤りがあることを表示するようにしても良い。
【００９１】
第２テストメールを受信することができたと判定した場合（ステップ１８０５のＹｅｓ）、テスト録画予約メール送信モジュール１１０２は、テスト録画予約情報を作成し、モバイルメールクライアント１１０を用いてテスト録画予約情報が本文に記載されたテスト録画予約メールを録画予約メールアドレス宛に送信する（ステップ１８０６）。なお、テスト録画予約メールの本文内にテスト録画予約メールであることを示す文字列を挿入しておくと、テレビ受像器１５２０側でテスト録画予約情報に基づいて録画を行わないようにすることができる。
【００９２】
テスト録画予約メールの送信後、メール録画予約設定情報送信モジュール１１０３は、録画予約設定情報を録画予約メールアドレス宛に送信する（ステップ１８０７）。
【００９３】
メール録画予約設定情報登録モジュール１７０２は、スマートフォン１５１０から送信されたメール録画予約設定情報を受信する（ステップ１８１１）。メール録画予約設定情報登録モジュール１７０２は、メール録画予約設定情報に基づいて、テレビメールクライアント６０３にＰＯＰ３サーバアドレス、ユーザ名、ＰＯＰ３パスワード、ＳＭＴＰアドレス、録画予約メールアドレス、アクセス間隔を登録し、メール解析モジュール６０４にメール予約パスワードおよび予約メールアドレスを登録する（ステップ１８１２）。
【００９４】
テレビメールクライアント６０３は、登録された設定に基づいて、メールサーバ６０からテスト録画予約メールを受信する（ステップ１８１３）。メール解析モジュール１７０４は、テスト録画予約メールの送信アドレスが登録された予約メールアドレスと一致するかを判定する（ステップ１８１４）。
【００９５】
二つのメールアドレスが一致したと判断された場合（ステップ１８１４のＹｅｓ）、メール解析モジュール１７０４は、登録完了通知をスマートフォン１５１０に送信する（ステップ１８１５）。二つのメールアドレスが一致しないと判断された場合（ステップ１８１４のＮｏ）、メール解析モジュール１７０４は、登録非完了通知をスマートフォン１５１０に送信する（ステップ１８１６）。
【００９６】
メール録画予約設定情報の送信後にテレビ受像器１５２０からのメッセージを受信すると、メール録画予約設定情報取得モジュール１０２は、メッセージが登録完了通知であるかを判定する（ステップ１８０８）。登録完了通知であると判定された場合（ステップ１８０８のＹｅｓ）、メール録画予約設定情報登録モジュール１６００は処理を終了する。登録完了通知ではないと判定された場合（ステップ１８０８のＮｏ）、メール録画予約設定情報取得モジュール１０２は、メール録画予約設定情報入力画面を再度表示する（ステップ１８０１）。なお、メール録画予約設定情報入力画面を再度表示する場合、予約メールアドレス入力欄３０８に入力された予約メールアドレスに誤りがあることを表示するようにしても良い。
【００９７】
以上の処理で、ユーザが入力した予約メールアドレスに誤りがあった場合に検出することができる。
【００９８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１０…スマートフォン，２０…テレビ受像器，１００…メール録画予約設定情報検証モジュール，１０１…番組録画装置探索モジュール，１０２…メール録画予約設定情報取得モジュール，１０３…メールクライアント，１０４…第１テストメール送信モジュール，１０５…第１テストメール受信判定モジュール，１０６…第２テストメール送信モジュール，１０７…第２テストメール受信判定モジュール，１０８…メール録画予約設定情報送信モジュール，１１０…モバイルメールクライアント，１２０…ＬＡＮ通信モジュール，１３０…移動体通信モジュール，１４０…タッチパネル，１５０…表示画面制御モジュール，１６０…入力モジュール。
【図１】
2012120122.tif 000003
【図２】
2012120122.tif 000004
【図３】
2012120122.tif 000005
【図４】
2012120122.tif 000006
【図５】
2012120122.tif 000007
【図６】
2012120122.tif 000008
【図７】
2012120122.tif 000009
【図８】
2012120122.tif 000010
【図９】
2012120122.tif 000011
【図１０】
2012120122.tif 000012
【図１１】
2012120122.tif 000013
【図１２】
2012120122.tif 000014
【図１３】
2012120122.tif 000015
【図１４】
2012120122.tif 000016
【図１５】
2012120122.tif 000017
【図１６】
2012120122.tif 000018
【図１７】
2012120122.tif 000019
【図１８】
2012120122.tif 000020